【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
８インチ（２０．３２ｃｍ）以下の幅と、上面および下面を有する筐体と、
前記上面に配置された複数のテキスト入力キーと、
前記下面に配置された取付インターフェースと、
前記筐体から側面に沿って突出している複数のコンフォーマル・ウィングと、
を備えることを特徴とするテキスト入力デバイス。
【請求項２】
前記コンフォーマル・ウィングには上面と下面があり、前記下側ウィング面はゲーム・コントローラのグリップ部分の表面に、その形状に一致して載置されるように適合された湾曲面を持つことを特徴とする請求項１に記載のテキスト入力デバイス。
【請求項３】
前記各下側ウィング面は圧縮性材料の被覆を備えることを特徴とする請求項２に記載のテキスト入力デバイス。
【請求項４】
前記圧縮性材料がゴムであることを特徴とする請求項３に記載のテキスト入力デバイス。
【請求項５】
少なくとも２０個のテキスト入力キーが前記上面に配置されていることを特徴とする請求項１に記載のテキスト入力デバイス。
【請求項６】
前記複数のテキスト入力キーは少なくとも２６個の文字キーを備え、前記文字キーのそれぞれは個々に押されたときに異なるアルファベットの文字を生成することを特徴とする請求項１に記載のテキスト入力デバイス。
【請求項７】
前記取付インターフェースは、前記下面内に形成された開口部と前記筐体の内側にあり前記開口部に近い位置にある空間を備え、前記空間および前記開口部は前記開口部の少なくとも片側に縁を形成することを特徴とする請求項１に記載のテキスト入力デバイス。
【請求項８】
前記取付インターフェースはさらに、前記下面上に突出部を備え、前記突出部は外へ向かってバイアスがかけられ、外力が加えられたときに内側に移動できることを特徴とする請求項７に記載のテキスト入力デバイス。
【請求項９】
ユーザーが１つまたは複数のテキスト入力キーをアクティブにしたときに発生する信号の伝達のため前記筐体から出ている、末端部を持つ、ケーブルと、
前記ケーブルの前記末端に取り付けられているコネクタと
をさらに備えることを特徴とする請求項１に記載のテキスト入力デバイス。
【請求項１０】
前記コネクタは、前記コネクタの接続軸に沿った、前記コネクタについてのレセプタクルのスライドさせる動きにより、前記レセプタクルに電気的に接続されるように構成され、
前記ケーブルは、取付点で前記コネクタに取り付けられ、
前記ケーブルは、前記取付点で前記接続軸に対し平行でない角度になっている
ことを特徴とする請求項９に記載のテキスト入力デバイス。
【請求項１１】
前記ケーブルは、前記取付点で前記接続軸に実質的に垂直であることを特徴とする請求項１０に記載のテキスト入力デバイス。
【請求項１２】
少なくとも２０個のテキスト入力キーが前記上面に配置されていることを特徴とする請求項３に記載のテキスト入力デバイス。
【請求項１３】
前記複数のテキスト入力キーは少なくとも２６個の文字キーを含み、前記文字キーのそれぞれは個々に押されたときに異なるアルファベットの文字を生成することを特徴とする請求項３に記載のテキスト入力デバイス。
【請求項１４】
前記取付インターフェースは前記下面内に形成された開口部と前記筐体の内側にあり前記開口部に近い位置にある空間を備え、前記空間および前記開口部は前記開口部の少なくとも片側に縁を形成することを特徴とする請求項１２に記載のテキスト入力デバイス。
【請求項１５】
前記取付インターフェースはさらに、前記下面上に突出部を備え、前記突出部は外へ向かってバイアスがかけられ、外力が加えられたときに内側に移動できることを特徴とする請求項１４に記載のテキスト入力デバイス。
【請求項１６】
テキスト入力デバイスをゲーム・コントローラに結合するための取付ブラケットであって、
第１の端部と第２の端部を持つアーム部分と、
前記第１の端部に固定され、少なくとも１つのテキスト入力デバイスを係合する、テキスト入力デバイス係合部材が固定されている取付板と、
少なくとも１つの留め部材であって、前記取付板がゲーム・コントローラの第１の部分に結合され、前記留め部材がゲーム・コントローラの第２の部分と接触しているときに、前記ゲーム・コントローラの第１の部分への前記取付板の結合を維持するように、前記ゲーム・コントローラの第２の部分により前記留め部材の面に力が加わるような位置にある前記第２の端部から突出している留め部材と
を備え、
前記取付板の係合部材は、前記第２の端部に対面する開口部にクリップを備え、
前記取付板に形成され、前記クリップの開放端の背後に位置する切り欠き部を備える
ことを特徴とする取付ブラケット。
【請求項１７】
前記ブラケットは、ガラス充填ポリカーボネートで形成されることを特徴とする請求項１６に記載の取付ブラケット。
【請求項１８】
前記アームは、ケーブル留め用溝を備えることを特徴とする請求項１６に記載の取付ブラケット。
【請求項１９】
前記留め部材上に形成されたタブをさらに備え、前記取付板がゲーム・コントローラの第１の部分に結合され、留め部材がゲーム・コントローラの第２の部分と接触しているときに、前記タブに圧力が加わると、前記ゲーム・コントローラから前記留め部材の係合を解放するような位置に、前記タブが配置されていることを特徴とする請求項１６に記載の取付ブラケット。
【請求項２０】
テキスト入力デバイスおよび前記テキスト入力デバイスをゲーム・コントローラに結合するための取付ブラケットであって、
前記テキスト入力デバイスは、
幅が８インチ（２０．３２ｃｍ）以下である、上面と下面を持つ筐体と、
前記上面に配置された複数のテキスト入力キーと、
前記下面に配置された取付インターフェースを備え、
前記取付ブラケットは、
第１の端部と第２の端部を持つアーム部分と、
前記第１の端部に固定され、そこに固定された少なくとも１つの係合部材を有して、前記テキスト入力デバイスの前記取付インターフェースに係合する取付板と、
少なくとも１つの留め部材であって、前記取付板がゲーム・コントローラの第１の部分に結合され、前記留め部材がゲーム・コントローラの第２の部分と接触しているときに、前記ゲーム・コントローラの第１の部分への前記取付板の結合を維持するように、前記ゲーム・コントローラの第２の部分により前記留め部材の面に力が加わるような位置にある前記第２の端部から突出している留め部材を備える取付ブラケットを備え、
前記取付板の係合部材は非破壊的に前記テキスト入力デバイスと前記取付インターフェースの係合を解放することが可能であり、それ以降、後で非破壊的に係合を解放可能にするように再度係合させることが可能であることを特徴とするテキスト入力デバイスおよび取付ブラケット。
【請求項２１】
前記テキスト入力デバイスは、前記筐体から側面に沿って突出している複数のコンフォーマル・ウィングを備え、
前記コンフォーマル・ウィングには上面と下面があり、
前記ウィングの下面は、ゲーム・コントローラのグリップ部分の表面に、その形状に一致して載置されるように適合された湾曲面を持ち、
前記留め部材がゲーム・コントローラの第２の部分と接触しているときに、前記下面が前記ゲーム・コントローラのグリップ部分に対し圧縮されるような方法で、前記ゲーム・コントローラの第１の部分に結合可能なように、前記下面が配置されていることを特徴とする請求項２０に記載のテキスト入力デバイスおよび取付ブラケット。
【請求項２２】
各下側ウィング面は圧縮性材料の被覆を備えることを特徴とする請求項２１に記載のテキスト入力デバイスおよび取付ブラケット。
【請求項２３】
前記圧縮性材料がゴムであることを特徴とする請求項２２に記載のテキスト入力デバイスおよび取付ブラケット。
【請求項２４】
少なくとも２０個のテキスト入力キーが前記上面に配置されていることを特徴とする請求項２０に記載のテキスト入力デバイスおよび取付ブラケット。
【請求項２５】
前記複数のテキスト入力キーは少なくとも２６個の文字キーを備え、前記文字キーのそれぞれは個々に押されたときに異なるアルファベットの文字を生成することを特徴とする請求項２０に記載のテキスト入力デバイスおよび取付ブラケット。
【請求項２６】
前記取付インターフェースは、前記下面内に形成された開口部と前記筐体の内側にあり前記開口部に近い位置にある空間を備え、前記空間および前記開口部は前記開口部の少なくとも片側に縁を形成し、
前記取付板はめ込み部材は、開口部に前記縁がはめ込まれるクリップを含むことを特徴とする請求項２０に記載のテキスト入力デバイスおよび取付ブラケット。
【請求項２７】
前記取付インターフェースはさらに、前記下面上に移動可能な突出部を含み、前記移動可能な突出は外へ向かってバイアスがかけられ、外力が加えられたときに内側に移動でき、
前記取付板に形成され、前記移動可能な突出部を係合するように位置する切り欠き部
をさらに備えることを特徴とする請求項２６に記載のテキスト入力デバイスおよび取付ブラケット。
【請求項２８】
前記留め部材上に形成されたタブをさらに備え、前記取付板がゲーム・コントローラの第１の部分に結合され、留め部材がゲーム・コントローラの第２の部分と接触しているときに、前記タブに圧力が加わると、前記ゲーム・コントローラから前記留め部材の係合を解放するような位置に、前記タブが配置されていることを特徴とする請求項２０に記載のテキスト入力デバイスおよび取付ブラケット。
【請求項２９】
ユーザーが１つまたは複数のテキスト入力キーをアクティブにしたときに発生する信号の伝達のため前記筐体から出ている、末端部を持つケーブルと、
前記ケーブルの前記末端に取り付けられているコネクタと、
前記アーム内に形成されたケーブル留め溝と
を備えることを特徴とする請求項２０に記載のテキスト入力デバイスおよび取付ブラケット。
【請求項３０】
前記アームはトラフ（雨どい）形状で形成され、前記ケーブル留め溝は前記トラフ内にあることを特徴とする請求項２９に記載のテキスト入力デバイスおよび取付ブラケット。
【請求項３１】
開口部が前記アームの前記第２の端部に形成され、前記ケーブルは前記開口部内を通って引き回されることを特徴とする請求項３０に記載のテキスト入力デバイスおよび取付ブラケット。
【手続補正２】
【補正対象書類名】明細書
【補正対象項目名】００４９
【補正方法】変更
【補正の内容】
【００４９】
図１２は、取付ブラケット１４２の斜視図である。取付ブラケット１４２は、取付板１４４、接続アーム１４６、および留め段部（retaining shoulder）１４８を含む。接続アーム１４６は「Ｕ字型」の断面および形状に合わせたエッジ（contoured edge）１５０を持つ。取付板１４４の両側に配置され、取付板１４４の表面１５２の上に延びているのは、クリップ１５４である。図１３は、ブラケットの上面図であり、アーム１４６の内側を示している。アーム１４６の底部には、ケーブル留め溝１５６が配置されており、その仕組みを以下で説明する。図１４は、テキスト入力デバイス１２０に取り付けた場合のブラケット１４２の底面図である。図１４および、図１４の線１５Ａ〜１５Ａに沿って取った断面、図１５Ａに示されているように、は、クリップ１５４は上に向かってスロット１３０内に収まる。ブラケット１４２をテキスト入力デバイス１２０の前面１５８に向かって移動すると、クリップ１５４の内側部分１６０が各スロット１３０の前方の縁（lip）１６２に接触し保持する。取付板１４４が完全に（前面１５８に向かって）前進している場合、ボタン１３６は、（図１４の線１５Ｂ〜１５Ｂに沿って断面を取った）図１５Ｂに示されているように、取付板１４４内の円状切り欠き部１６４の内に、外に向かってバイアスがかけられている（変位している）。このため、取付板１４４は、最初にボタン１３６を内側に押し込まないとテキスト入力デバイス１２０から取り外すことができない。他の実施形態では、ボタン１３６を省くことも可能である。このような実施形態では、クリップ１５４の、縁１６２に近い位置にある下側ケース１８０の部分を挟み込むアクションにより、ブラケット１４２でテキスト入力デバイス１２０を保持することができる。このような実施形態では、円状切り欠き部１６４も省くことが可能である。あるいは、円状切り欠き部１６４が置かれている取付板１４４の特定されない領域に、テキスト入力デバイス１２０の底部にある突出部分が収まるように、穴をあけるか、または溝を切ることができる。